(57)【特許請求の範囲】
【請求項１】
２個の互いに並列配置されてそれらの辺を同一直線上に揃えた並列置き建物ユニットと、２個の並列置き建物ユニットの同一直線上に揃う２つの辺に沿うように配置された渡り置き建物ユニットとからなるユニット群を有し、
渡り置き建物ユニットの天井又は床部で、両並列置き建物ユニットの境界線の延長線上に位置する部分に補強梁を設け、２個の並列置き建物ユニットの各天井又は床面の領域と、渡り置き建物ユニットの天井又は床面を補強梁で区画した領域とからなる複数の領域のうち、平面視で対角に位置する２つの領域をブレース補強し、残る領域のうち少なくとも１つの領域をブレース補強しない吹き抜け可能な領域とする、ユニット群の補強構造を備えてなるユニット建物において、
前記渡り置き建物ユニットが両並列置き建物ユニットの同一直線上に揃う２つの辺の合計長より長尺をなすとき、渡り置き建物ユニットの天井又は床部で、並列置き建物ユニットの外郭線の延長線上に位置する部分にも補強梁を設けることを特徴とするユニット建物。
【請求項２】
前記ユニット群を構成する前記２個の並列置き建物ユニットの一方の建物ユニットをサブ渡り置き建物ユニットとし、このサブ渡り置き建物ユニットの辺のうち、前記渡り置き建物ユニットが配置されていない辺に沿って、他の２個のサブ並列置き建物ユニットを並べて配置し、これらのサブ渡り置き建物ユニットと両サブ並列置き建物ユニットによりサブユニット群を構成するとき、
サブユニット群についても前記ユニット群におけると同じ補強構造を備えてなる請求項１に記載のユニット建物。
【発明の詳細な説明】
【０００１】
【発明の属する技術分野】
本発明はユニット建物に関する。
【０００２】
【従来の技術】
ユニット建物として、特開昭55-126638号公報に記載の如く、２個の互いに並列配置されてそれらの辺を同一直線上に揃えた並列置き建物ユニットと、２個の並列置き建物ユニットの同一直線上に揃う２つの辺に沿うように配置された渡り置き建物ユニットとからなるユニット群を有するものがある。
【０００３】
【発明が解決しようとする課題】
しかしながら、従来技術では、前記ユニット群の天井補強構造として、２個の並列置き建物ユニットの各天井面の領域と、渡り置き建物ユニットの天井面の領域の全ての領域に水平ブレースを設け、水平力をそれら３個の建物ユニットで均一に負担して水平力に対する変形を防止可能としている。このため、ユニット群の天井部に吹き抜け領域を設けることができず、階段室や吹き抜け室を設けることができない。
【０００４】
本発明の課題は、２個の並列置き建物ユニットと渡り置き建物ユニットとからなるユニット群の水平力に対する変形を防止しながら、ユニット群の天井部に吹き抜け領域を設けることにある。
【０００５】
【課題を解決するための手段】
請求項１の発明は、２個の互いに並列配置されてそれらの辺を同一直線上に揃えた並列置き建物ユニットと、２個の並列置き建物ユニットの同一直線上に揃う２つの辺に沿うように配置された渡り置き建物ユニットとからなるユニット群を有し、渡り置き建物ユニットの天井又は床部で、両並列置き建物ユニットの境界線の延長線上に位置する部分に補強梁を設け、２個の並列置き建物ユニットの各天井又は床面の領域と、渡り置き建物ユニットの天井又は床面を補強梁で区画した領域とからなる複数の領域のうち、平面視で対角に位置する２つの領域をブレース補強し、残る領域のうち少なくとも１つの領域をブレース補強しない吹き抜け可能な領域とする、ユニット群の補強構造を備えてなるユニット建物において、前記渡り置き建物ユニットが両並列置き建物ユニットの同一直線上に揃う２つの辺の合計長より長尺をなすとき、渡り置き建物ユニットの天井又は床部で、並列置き建物ユニットの外郭線の延長線上に位置する部分にも補強梁を設けるようにしたものである。
【０００９】
請求項２の発明は、請求項１の発明において更に、前記ユニット群を構成する前記２個の並列置き建物ユニットの一方の建物ユニットをサブ渡り置き建物ユニットとし、このサブ渡り置き建物ユニットの辺のうち、前記渡り置き建物ユニットが配置されていない辺に沿って、他の２個のサブ並列置き建物ユニットを並べて配置し、これらのサブ渡り置き建物ユニットと両サブ並列置き建物ユニットによりサブユニット群を構成するとき、サブユニット群についても前記ユニット群におけると同じ補強構造を備えてなるようにしたものである。
【００１０】
【作用】
請求項１の発明によれば下記(a)〜(e)の作用がある。
(a)両並列置き建物ユニットの境界線に沿う水平力を、渡り置き建物ユニットに設けた補強梁の存在により、両並列置き建物ユニットと渡り置き建物ユニットの３個の建物ユニットで負担できる。
【００１１】
(b)２個の並列置き建物ユニットの各天井又は床面の領域と、渡り置き建物ユニットの補強梁で区画した領域とからなる複数の領域のうち、平面視で対角に位置する領域をブレース補強した。従って、ブレース補強されない領域の天井又は床面でも、直交するＸ方向とＹ方向にて相交差するそれらの天井又は床梁をブレース補強された対角に位置する補強領域に添設されて間接的に補強される。従って、ユニット群に作用するＸ方向とＹ方向の水平力を、３個の並列置き建物ユニットと渡り置き建物ユニットの全てによって均一に負担できる。
【００１２】
(c)上述(a)、(b)により、ユニット群の水平力に対する変形を防止できる。
【００１３】
(d)ユニット群の天井又は床部のうち、少なくとも１つの領域をブレース補強しない吹き抜け可能領域とするから、この吹き抜け可能領域に階段室や吹き抜け室を設けることができる。階上部分であれば天窓を設けることもできる。
【００１４】
(e)渡り置き建物ユニットが両並列置き建物ユニットの同一直線上に揃う２つの辺の合計長より長尺をなすとき、並列置き建物ユニットの外郭線に沿う水平力を、渡り置き建物ユニットに設けた補強梁の存在により、両並列置き建物ユニットと渡り置き建物ユニットの３個の建物ユニットで負担できる。
【００１７】
請求項２の発明によれば下記(f)の作用がある。
(f)２個の並列置き建物ユニットと渡り置き建物ユニットからなるユニット群と、２個のサブ並列置き建物ユニットとサブ渡り置き建物ユニットからなるサブユニット群が、ユニット群の１個の並列置き建物ユニットとサブユニット群のサブ渡り置き建物ユニットを同一建物ユニットとする状態で複合化しているときにも、それらユニット群とサブユニット群の両方で、水平力に対する変形を防止しながら、天井部に吹き抜け領域を形成できる。
【００１８】
【発明の実施の形態】
図１は第１参考形態のユニット建物のユニット群を示し、（Ａ）は斜視図、（Ｂ）は平面図、図２は第１参考形態の天井補強構造を示し、（Ａ）は第１例を示す平面図、（Ｂ）は第２例を示す平面図、（Ｃ）は第３例を示す平面図、図３は本発明実施形態の天井補強構造を示し、（Ａ）は第１例を示す平面図、（Ｂ）は第２例を示す平面図、図４は第２参考形態の天井補強構造を示し、（Ａ）は第１例を示す平面図、（Ｂ）は第２例を示す平面図、図５は第３参考形態の天井補給構造を示す平面図、図６は第４参考形態のユニット建物のユニット群とサブユニット群を示す平面図、図７は第４参考形態の天井補強構造を示し、（Ａ）は第１例を示す平面図、（Ｂ）は第２例を示す平面図である。
【００１９】
（第１参考形態）（図１、図２）
ユニット建物１は、図１に示す如く、複数の建物ユニット１０を水平方向と鉛直方向に隣接配置して構築され、その一部に図１に示す如くのユニット群２０を有する。
【００２０】
ユニット群２０は、２個の互いに並列配置されてそれらの短辺２１Ａ、２２Ａを同一直線上に設けた並列置き建物ユニット２１、２２と、２個の並列置き建物ユニット２１、２２の同一直線上に揃う２つの短辺２１Ａ、２２Ａに沿うように配置された渡り置き建物ユニット２３とからなる。尚、建物ユニット２１〜２３は、各４個の床梁１１、柱１２、天井梁１３を箱型に接合した骨組構造体である。
【００２１】
ユニット群２０は、下記(1)、(2)の天井補強構造を備える（図２（Ａ））。
(1)渡り置き建物ユニット２３の天井部で、両並列置き建物ユニット２１、２２の境界線の天井梁１３、１３の延長線上に位置する部分に補給梁２３Ａを設ける。補強梁２３Ａは渡り置き建物ユニット２３の相対する天井梁１３、１３の中間部に掛け渡される。
【００２２】
(2)２個の並列置き建物ユニット２１、２２の各天井面の領域Ａ、Ｂと、渡り置き建物ユニット２３の天井面を補強梁２３Ａで区画した２つの領域Ｃ、Ｄとからなる全４つの領域のうち、平面視で対角に位置する領域Ａ、Ｃともう１つの領域Ｄを水平ブレース１４でブレース補強し、残る１つの領域Ｂをブレース補強しない吹き抜け可能領域１５とした。
【００２３】
本参考形態によれば、以下の作用がある。
(a)両並列置き建物ユニット２１、２２の境界線の天井梁１３に沿う水平力を、渡り置き建物ユニット２３に設けた補強梁２３Ａの存在により、両並列置き建物ユニット２１、２２と渡り置き建物ユニット２３の３個の建物ユニットで負担できる。
【００２４】
(b)２個の並列置き建物ユニット２１、２２の各天井面の領域Ａ、Ｂと、渡り置き建物ユニット２３の補強梁２３Ａで区画した領域Ｃ、Ｄとからなる複数の４つの領域のうち、平面視で対角に位置する領域Ａ、Ｃをブレース補強した。従って、ブレース補強されない領域Ｂの天井面でも、直交するＸ方向とＹ方向にて相交差するそれらの天井梁１３をブレース補強された対角に位置する補強領域Ａ、Ｃに添設されて間接的に補強される。従って、ユニット群２０に作用するＸ方向とＹ方向の水平力を、３個の並列置き建物ユニット２１、２２と渡り置き建物ユニット２３の全てによって均一に負担できる。
【００２５】
(c)上述(a)、(b)により、ユニット群２０の水平力に対する変形を防止できる。
【００２６】
(d)ユニット群２０の天井部のうち、少なくとも１つの領域Ｂをブレース補強しない吹き抜け可能領域１５とするから、この吹き抜け可能領域１５に階段室や吹き抜け室を設けることができる。階上部分であれば天窓を設けることもできる。
【００２７】
図２（Ｂ）はユニット群２０の天井補強構造の変形例であり、並列置き建物ユニット２１の領域Ａを吹き抜け可能領域１５とし、並列置き建物ユニット２２の領域Ｂと渡り置き建物ユニット２３の領域Ｃ、Ｄを水平ブレース１４でブレース補強したものである。
【００２８】
図２（Ｃ）はユニット群２０の天井補強構造の変形例であり、並列置き建物ユニット２１の領域Ａと渡り置き建物ユニット２３の領域Ｃを水平ブレース１４でブレース補強し、並列置き建物ユニット２２の領域Ｂと渡り置き建物ユニット２３の領域Ｄを吹き抜け可能領域１５としたものである。即ち、ユニット建物１の階上部分に設けられるユニット群２０では、渡り置き建物ユニット２３の一方の領域Ｃ又はＤ（図２の＊部分）を吹き抜け可能領域１５とすることができる。
【００２９】
（本発明実施形態）（図３）
図３（Ａ）は、２個の並列置き建物ユニット３１、３２と渡り置き建物ユニット３３でユニット群３０を構成するものであるが、渡り置き建物ユニット３３が両並列置き建物ユニット３１、３２の同一直線上に揃う２つの短辺３１Ａ、３２Ａの合計長より長尺をなすものである。
【００３０】
ユニット群３０は、下記(1)、(2)の天井補強構造を備える。
(1)渡り置き建物ユニット３３の天井部で、両並列置き建物ユニット３１、３２の境界線の天井梁１３、１３の延長線上に位置する部分に補強梁３３Ａを設けるとともに、狭巾並列置き建物ユニット３１の外郭線の天井梁１３の延長線上に位置する部分にも補強梁３３Ｂを設ける。補強梁３３Ａ、３３Ｂは渡り置き建物ユニット３３の相対する天井梁１３、１３の中間部に掛け渡される。
【００３１】
(2)２個の並列置き建物ユニット３１、３２の各天井面の領域Ａ、Ｂと、渡り置き建物ユニット３３の天井面を補強梁３３Ａ、３３Ｂで区画した３つの領域Ｃ、Ｄ、Ｅとからなる全５つの領域のうち、平面視で対角に位置する領域Ａ、Ｃともう２つの領域Ｄ、Ｅを水平ブレース１４でブレース補強し、残る１つの領域Ｂをブレース補強しない吹き抜け可能領域１５とした。
【００３２】
本発明実施形態によれば、渡り置き建物ユニット３３が両並列置き建物ユニット３１、３２の同一直線上に揃う２つの短辺３１Ａ、３２Ａの合計長より長尺をなすとき、狭巾並列置き建物ユニット３１の外郭線の天井梁１３に沿う水平力を、渡り置き建物ユニット３３に設けた補強梁３３Ｂの存在により、両並列置き建物ユニット３１、３２と渡り置き建物ユニット３３の３個の建物ユニットで負担できる。
【００３３】
図３（Ｂ）はユニット群３０の天井補強構造の変形例であり、並列置き建物ユニット３１の領域Ａを吹き抜け可能領域１５とし、並列置き建物ユニット３２の領域Ｂと渡り置き建物ユニット３３の領域Ｃ、Ｄ、Ｅを水平ブレース１４でブレース補強したものである。
【００３４】
尚、ユニット建物１の階上部分に設けられるユニット群３０では、渡り置き建物ユニット３３の領域Ｃ又はＤ（図３の＊部分）を吹き抜け可能領域１５とすることができる。
【００３５】
（第２参考形態）（図４）
図４（Ａ）は、２個の並列置き建物ユニット４１、４２と渡り置き建物ユニット４３でユニット群４０を構成するものであるが、両並列置き建物ユニット４１、４２がそれらの境界線に沿う長辺４１Ａ、４２Ａの長さを互いに異にするものである。
【００３６】
ユニット群４０は、下記(1)〜(3)の天井補強構造を備える。
(1)渡り置き建物ユニット４３の天井部で、両並列置き建物ユニット４１、４２の境界線の天井梁１３、１３の延長線上に位置する部分に補強梁４３Ａを設ける。
【００３７】
(2)長尺の並列置き建物ユニット４２の天井部で、短尺の並列置き建物ユニット４１の外郭線の天井梁１３の延長線に位置する部分に補強梁４２Ｂを設ける。
【００３８】
(3)２個の並列置き建物ユニット４１、４２の各天井面の領域Ａ、Ｂと、渡り置き建物ユニット４３の天井面を補強梁４３Ａで区画した２つの領域Ｃ、Ｄとからなる全４つの領域のうち、平面視で対角に位置する領域Ａ、Ｃともう１つの領域Ｄを水平ブレース１４でブレース補強し、残る１つの領域Ｂをブレース補強しない吹き抜け可能領域１５とした。
【００３９】
本参考形態によれば、両並列置き建物ユニット４１、４２がそれらの境界線に沿う長辺４１Ａ、４２Ａの長さを互いに異にするとき、短尺の並列置き建物ユニット４１の外郭線の天井梁１３に沿う水平力を、長尺の並列置き建物ユニット４２に設けた補強梁４２Ｂの存在により、両並列置き建物ユニット４１、４２と渡り置き建物ユニット４３の３個の建物ユニットで負担できる。
【００４０】
図４（Ｂ）はユニット群４０の天井補強構造の変形例であり、並列置き建物ユニット４１の領域Ａを吹き抜け可能領域１５とし、並列置き建物ユニット４２の領域Ｂと渡り置き建物ユニット４３の領域Ｃ、Ｄを水平ブレース１４でブレース補強したものである。
【００４１】
尚、ユニット建物１の階上部分に設けられるユニット群４０では、渡り置き建物ユニット４３の領域Ｃ又はＤ（図４の＊部分）を吹き抜け可能領域１５とすることができる。
【００４２】
（第３参考形態）（図５）
図５は、２個の並列置き建物ユニット５１、５２と渡り置き建物ユニット５３でユニット群５０を構成するものであるが、渡り置き建物ユニット５３が両並列置き建物ユニット５１、５２の同一直線上に沿う２つの長辺５１Ａ、５２Ａの合計長より短尺をなすものである。
【００４３】
ユニット群５０は、下記(1)〜(3)の天井補強構造を備える。
(1)渡り置き建物ユニット５３の天井部で、両並列置き建物ユニット５１、５２の境界線の天井梁１３、１３の延長線上に位置する部分に補強梁５３Ａを設ける。
【００４４】
(2)並列置き建物ユニット５１の天井部で、渡り置き建物ユニット５３の外郭線の天井梁１３の鉛直線上に位置する部分に補強梁５１Ｂを設ける。尚、並列置き建物ユニット５１では、相対する天井梁１３、１３に掛け渡した継ぎ梁５１Ｃに上述の補強梁５１ＢをＴ字状に突き当て支持する。
【００４５】
(3)２個の並列置き建物ユニット５１、５２の各天井面の領域Ａ、Ｂと、渡り置き建物ユニット５３の天井面を補強梁５３Ａで区画した２つの領域Ｃ、Ｄとからなる全４つの領域のうち、平面視で対角に位置する領域Ａ、Ｃともう１つの領域Ｄを水平ブレース１４でブレース補強し、残る1つの領域Ｂをブレース補強しない吹き抜け可能領域１５とした。
【００４６】
本参考形態によれば、渡り置き建物ユニット５３が両並列置き建物ユニット５１、５２の同一直線上に揃う２つの長辺５１Ａ、５２Ａの合計長より短尺をなすとき、渡り置き建物ユニット５３の外郭線の天井梁１３に沿う水平力を、並列置き建物ユニット５１に設けた補強梁５１Ｂの存在により、両並列置き建物ユニット５１、５２と渡り置き建物ユニット５３の３個の建物ユニットで負担できる。
【００４７】
尚、ユニット建物１の階上部分に設けられるユニット群５０では、渡り置き建物ユニット５３の領域Ｄ（図５の＊部分）を吹き抜け可能領域１５とすることができる。
【００４８】
（第４参考形態）（図６、図７）
図６は、図１、図２のユニット群２０にサブユニット群６０を複合化したものである。即ち、ユニット群２０を構成する２個の並列置き建物ユニット２１、２２の一方の並列置き建物ユニット２１をサブ渡り置き建物ユニット６３とし、このサブ渡り置き建物ユニット６３の辺のうち、渡り置き建物ユニット２３が配置されていない長辺６３Ｂに沿って、他の２個のサブ並列置き建物ユニット６１、６２を並べて配置し、これらの両サブ並列置き建物ユニット６１、６２とサブ渡り置き建物ユニット６３によりサブユニット群６０を構成したものである。
【００４９】
サブユニット群６０についても、ユニット群２０におけると同様の天井補強構造を備える。即ち、ユニット群２０及びサブユニット群６０の天井補強構造は以下の通りになる。
【００５０】
(1)ユニット群２０を構成する渡り置き建物ユニット２３の天井部で、両並列置き建物ユニット２１、２２の境界線の天井梁１３、１３の延長線上に位置する部分に補強梁２３Ａを設ける。同時に、サブユニット群６０を構成するサブ渡り置き建物ユニット６３（並列置き建物ユニット２１）の天井部で、両並列置き建物ユニット６１、６２の境界線の天井梁１３、１３の延長線上に位置する部分に補強梁６３Ａを設ける。
【００５１】
(2)ユニット群２０において、並列置き建物ユニット２１（サブ渡り置き建物ユニット６３）の天井面を補強梁６３Ａで区画した２つの領域Ａ１、Ａ２と、並列置き建物ユニット２２の天井面の領域Ｂと、渡り置き建物ユニット２３の天井面を補強梁２３Ａで区画した２つの領域Ｃ、Ｄとからなる全５つの領域のうち、平面視で対角に位置する領域Ａ１、Ａ２、Ｃともう１つの領域Ｄを水平ブレース１４でブレース補強し、残る１つの領域Ｂをブレース補強しない吹き抜け可能領域１５とした。
【００５２】
(3)サブユニット群６０において、２個のサブ並列置き建物ユニット６１、６２の各天井面の領域Ｅ、Ｆと、サブ渡り置き建物ユニット６３の天井面を補強梁６３Ａで区画した２つの領域Ａ１、Ａ２とからなる全４つの領域のうち、平面視で対角に位置する領域Ｅ、Ａ１ともう１つの領域Ａ２を水平ブレース１４でブレース補強し、残る１つの領域Ｆをブレース補強しない吹き抜け可能領域１５とした。
【００５３】
本参考形態によれば、２個の並列置き建物ユニット２１、２２と渡り置き建物ユニット２３からなるユニット群２０と、２個のサブ並列置き建物ユニット６１、６２とサブ渡り置き建物ユニット６３からなるサブユニット群６０が、ユニット群２０の１個の並列置き建物ユニット２１とサブユニット群６０のサブ渡り置き建物ユニット６３を同一建物ユニットとして複合化しているときにも、それらユニット群２０とサブユニット群６０の両方で、水平力に対する変形を防止しながら、天井部に吹き抜け領域を形成できる。
【００５４】
図７（Ｂ）はサブユニット群６０の天井補強構造の変形例であり、並列置き建物ユニット６１の領域Ｅを吹き抜け可能領域１５とし、並列置き建物ユニット６２の領域Ｆと渡り置き建物ユニット６３の領域Ａ１、Ａ２を水平ブレース１４でブレース補強したものである。
【００５５】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、渡り置き建物ユニットの床部で、両並列置き建物ユニットの境界線の延長線上に位置する部分に補強梁を設け、２個の並列置き建物ユニットの各床面の領域と、渡り置き建物ユニットの床面を補強梁で区画した領域とからなる複数の領域のうち、平面視で対角に位置する２つの領域をブレース補強し、残る領域のうち少なくとも１つの領域をブレース補強しない吹き抜け可能な領域とする、ユニット群の床補強構造を備えてなるものであっても良い。
【００５６】
【発明の効果】
以上のように本発明によれば、２個の並列置き建物ユニットと渡り置き建物ユニットとからなるユニット群の水平力に対する変形を防止しながら、ユニット群の天井部に吹き抜け領域を設けることができる。
【図面の簡単な説明】
【図１】  図１は第１参考形態のユニット建物のユニット群を示し、（Ａ）は斜視図、（Ｂ）は平面図である。
【図２】  図２は第１参考形態の天井補強構造を示し、（Ａ）は第１例を示す平面図、（Ｂ）は第２例を示す平面図、（Ｃ）は第３例を示す平面図である。
【図３】  図３は本発明実施形態の天井補強構造を示し、（Ａ）は第１例を示す平面図、（Ｂ）は第２例を示す平面図である。
【図４】  図４は第２参考形態の天井補強構造を示し、（Ａ）は第１例を示す平面図、（Ｂ）は第２例を示す平面である。
【図５】  図５は第３参考施形態の天井補給構造を示す平面図である。
【図６】  図６は第４参考形態のユニット建物のユニット群とサブユニット群を示す平面図である。
【図７】  図７は第４参考形態の天井補強構造を示し、（Ａ）は第１例を示す平面図、（Ｂ）は第２例を示す平面図である。
【符号の説明】
１  ユニット建物
１４  水平ブレース
１５  吹き抜け可能領域
３０  ユニット群
３１、３２  並列置き建物ユニット
３３  渡り置き建物ユニット
３３Ａ、３３Ｂ  補強梁
６０  サブユニット群
６１、６２  サブ並列置き建物ユニット
６３  サブ渡り置き建物ユニット
６３Ａ  補強梁
【図１】
0004669615.tif 000002
【図２】
0004669615.tif 000003
【図３】
0004669615.tif 000004
【図４】
0004669615.tif 000005
【図５】
0004669615.tif 000006
【図６】
0004669615.tif 000007
【図７】
0004669615.tif 000008